(57)【要約】【課題】葉書等を印刷物より切り取る必要がなく、かつその周囲に切り込みが入っているが、印刷物に付いていて紛失させることなく、手間がかからず葉書等を利用することが出来る印刷物の提供。【解決手段】左側面部２と右側面部３が中央面部１の方へ折られて重ねられた印刷物であって，側面部２，３に重なる分離して使用するもの４が中央面部１に印刷されており、分離して使用できるように周囲に切り込み９が入っていること、分離して使用するもの４が落下しないように、分離して使用するもの４と重なる側面部２，３と、分離して使用するもの４とが一過性の粘着剤により貼着されていること，かつ、左側面部２と右側面部３と、分離して使用するもの４を除く中央面部１とが一過性の粘着剤により貼着されていることからなり、開くと一方の側面部２，３に分離して使用するもの４が付いてくることからなる。【選択図】  図１
2010269607.tif 000002
【特許請求の範囲】
【請求項１】
左側面部（２）と右側面部（３）が中央面部（１）の方へ折られて重ねられた印刷物であって，
分離して使用するもの（４）が中央面部（１）に印刷されており、分離して使用できるように周囲に切り込み（９）が入っていること、
分離して使用するもの（４）が落下しないように、分離して使用するもの（４）と重なる側面部と、分離して使用するもの（４）とが一過性の粘着剤により貼着されていること，
かつ、左側面部（２）と右側面部（３）と、分離して使用するもの（４）を除く中央面部（１）とが一過性の粘着剤により貼着されていることからなり、
開くと一方の側面部（２又は３）に分離して使用するもの（４）が付いてくることを特徴とする印刷物（ただし、左側面部（２）と右側面部（３）の裏面の、分離して使用するもの（４）の上部、下部、左側部及び右側部の内側及び外側に該当する部分に一過性の粘着剤が塗布されているものを除く。）。
【請求項２】
左側面部（２）と右側面部（３）が中央面部（１）の方へ折られて重ねられた印刷物であって，
一方の側面部（２又は３）に重なる分離して使用するもの（４）が中央面部（１）に印刷されており、分離して使用できるように周囲に切り込み（９）が入っていること、
分離して使用するもの（４）が落下しないように、分離して使用するもの（４）と重なる一方の側面部（２又は３）と、分離して使用するもの（４）とが一過性の粘着剤により貼着されていること，
かつ、左側面部（２）と右側面部（３）と、分離して使用するもの（４）を除く中央面部（１）とが一過性の粘着剤により貼着されていることからなり、
開くと一方の側面部（２又は３）に分離して使用するもの（４）が付いてくることを特徴とする印刷物。
【請求項３】
分離して使用するもの（４）が落下しないように貼着するための一過性の粘着剤が、塗布後でもその上から文字が書ける一過性の粘着剤であることを特徴とする請求項１又は２に記載の印刷物。
【請求項４】
前記印刷物が広告又はダイレクトメールであることを特徴とする請求項１から３のいずれか１項に記載の印刷物。
【請求項５】
分離して使用するものが葉書、チケット、又はクーポン券であることを特徴とする請求項１から４のいずれか１項に記載の印刷物。
【発明の詳細な説明】
【技術分野】
【０００１】
本発明は、印刷物、特に中央面部又は一方の側面部に分離して使用するもの、たとえば葉書等が印刷され、かつその葉書等の周囲に切り込みが入っている印刷物に関する。
【背景技術】
【０００２】
従来、左側面部及び右側面部が開く広告用印刷物に関する技術がある（例えば、特許文献１参照。）。
又、左側面及び右側面が開く広告用印刷物に葉書が付いている技術がある（例えば、特許文献２参照。）。
【先行技術文献】
【特許文献】
【０００３】
【特許文献１】実用新案登録第３０９６６１３号公報（［０００５］）
【特許文献２】実用新案登録第３０９６９１０号公報（［０００５］〜［０００７］）
【発明の概要】
【発明が解決しようとする課題】
【０００４】
しかし、特許文献１には葉書が付いておらず、特許文献２は葉書が付いていて広告としての機能を効果的に発揮することが出来るが、なお、葉書を切り取らなければならないという手間が依然として残っていた。
【０００５】
又、広告等にチケット、クーポン券等が付いている場合があるがこれら等も広告から切り取らなければならないという問題点があった。
【０００６】
そこで、本発明は、葉書、チケット、クーポン券等の分離して使用するものを広告等の印刷物より切り取る必要がなく、かつその周囲に切り込みが入っているにもかかわらず、広告等の印刷物に付いていて紛失させることなく、しかも手間がかからず葉書、チケット、クーポン券等の分離して使用するものを利用することが出来る印刷物を提供することを目的とする。
【課題を解決するための手段】
【０００７】
前記目的を達成するため本発明の印刷物は、 
左側面部と中央面部と右側面部とからなる印刷物であって， 
当該中央面部には、所定の箇所に所定の大きさの分離して使用するものが印刷されていること， 
当該分離して使用するものが、落下しないように、当該分離して使用するものの裏面の、一方の側面部に重なる所定の部分に、及び／又は一方の側面部の裏面の、当該分離して使用するものに重なる所定の部分に一過性の粘着剤が塗布されていること， 
当該左側面部の裏面及び当該右側面部の裏面、及び／又は当該中央面部の裏面の、分離して使用するものを除く所定の部分に一過性の粘着剤が塗布されており、そのため、 
当該左側面部の裏面及び当該右側面部の裏面を当該中央面部の方へ折った場合、当該中央面部に貼着し、かつ一方の側面部は当該分離して使用するものに貼着すること， 
当該分離して使用するものの周囲に切り込みが入っていること， 
からなる。 
【０００８】
又、本発明の印刷物は、左側面部と中央面部と右側面部とからなる印刷物であって， 
一方の側面部には、所定の箇所に所定の大きさの分離して使用するものが印刷されていること， 
当該分離して使用するものが、落下しないように、当該分離して使用するものの裏面の、中央面部に重なる所定の部分に、及び／又は中央面部の裏面の、当該分離して使用するものに重なる所定の部分に一過性の粘着剤が塗布されていること， 
当該左側面部の裏面及び当該右側面部の裏面、及び／又は当該中央面部の裏面の、分離して使用するものを除く所定の部分に一過性の粘着剤が塗布されており、そのため、 
当該左側面部の裏面及び当該右側面部の裏面を当該中央面部の方へ折った場合、当該中央面部に貼着し、かつ中央面部は当該分離して使用するものに貼着すること， 
当該分離して使用するものの周囲に切り込みが入っていること， 
からなる。 
【０００９】
又、一過性の粘着剤が分離して使用するものに塗布されている場合、当該一過性の粘着剤は、それを塗布後、その上から文字が書ける一過性の粘着剤であることが好適である。 
又、前記印刷物が広告又はダイレクトメールであることが好適である。 
さらに、前記分離して使用するものが葉書、チケット、又はクーポン券であることが好適である。
【００１０】
しかし、本発明の印刷物は、広告、ダイレクトメール等その種類を問わず、又、分離して使用するものも、葉書、チケット、クーポン券等に限らずその他のものでも良い。
【００１１】
さらに、本発明の印刷物は、本等の間に挟んで使用することも出来るものである。
【発明の効果】
【００１２】
本発明は以上の構成を有するので、印刷物に付いている葉書、チケット、クーポン券等を切り取ろうとする意思を持たずに、印刷物を開くと自動的に手にすることになる。したがって、分離して使用するものの使用者へのアピール力が高く、例えば分離して使用するものが葉書の場合には、すぐに葉書を出してもらえるというレスポンス向上の期待がさらに多くなり、又チケット・クーポン券等の場合はそれらを利用してもらえるということが多くなる、という効果が生じるものである。
【図面の簡単な説明】
【００１３】
【図１】第１の実施例の印刷物を開いた状態を示す図である。
【図２】左側面部と右側面部を中央面部及び右側面部を分離して使用するものに貼着した状態を示す図である。
【図３】第１の実施例の左側面部と右側面部を開いた状態を示す図である。
【図４】本発明の印刷物の裏面を示す図である。
【図５】第２の実施例の印刷物を開いた状態を示す図である。
【図６】第２の実施例の左側面部と右側面部を開いた状態を示す図である。
【発明を実施するための最良の形態】
【００１４】
本発明の実施の形態の一例を図面にしたがって説明する。
図１は本発明の印刷物を開いた状態を示す第１の実施例を示す図である。
中央面部１の中央より右側の場所に分離して使用するもの４が印刷されている。本図面ではこの分離して使用するもの４は四角形をしているが、丸でも三角形でも良く形状は問わない。
印刷物が広告の場合には分離して使用するもの４以外の部分には広告の内容等が印刷されているものである。
【００１５】
中央面部１の右側に当該分離して使用するもの４が設けられ、当該分離して使用するもの４の裏面又は表面（都合により裏面でも表面でも良い。）の内側の周囲５及び外側の周囲５’にはその上から文字を書くことの出来る一過性の粘着剤が塗布されている。内側の周囲５だけでなく全面に当該粘着剤を塗布しても良いし、四隅と中央の部分だけに塗布しても良い。
要は当該分離して使用するもの４が落ちなければ良い。
【００１６】
又、当該分離して使用するもの４の裏面又は表面ではなく、右側面部３又は左側面部２の裏面に、右側面部３又は左側面部２を折った場合に、当該分離して使用するもの４が落ちないように、その重なる部分に一過性の粘着剤（この場合は文字が書いても書けなくても良い。）を塗布しても良い。
【００１７】
又、本図面では図示していないが、左側面部２の裏面の上部、下部、左側部、右側面部３の裏面の上部、下部、右側部、及び／又は中央面部１の裏面の、左側面部２及び右側面部３に重なる所定の部分に一過性の粘着剤が塗布されている。
【００１８】
そのため、右側面部３及び左側面部２を中央面部１の方に折って重ねると、右側面部３又は左側面部２は中央面部１に剥離可能に貼着される。
【００１９】
図２は左側面部の裏面と右側面部の裏面を中央面部の裏面及び右側面部を分離して使用するものに貼着した状態を示す図である。
貼着した後、分離して使用するもの４（例えば葉書等）の周囲をハーフカット装置を使用して半抜きをする。すなわち、分離して使用するもの４の周囲のみに切り込み９を入れる。分離して使用するもの４の裏面又は図示していないが右側面部３の裏面の前記所定の箇所には一過性の粘着剤が塗布されているので分離して使用するもの４の周囲に切り込み９が入っても欠落したりすることがないものである。左、右に開く場合は、開く箇所を示した部分６，７より開けば容易に開くことが出来る。
【００２０】
図３は左側面部と右側面部を開いた状態を示す図である。
本図面では右側面部３に分離して使用するもの４が貼着されるようになっているので、右側面部３を開くと、右側面部３の裏面に分離して使用するもの４が貼着しており、左側面部２には分離して使用するもの４が付いていない状態を示している。分離して使用するもの４が中央面部１から切り離されたことにより、分離して使用するもの４があった部分は四角形の穴８になっている。
【００２１】
右側面部３の裏面に貼着している分離して使用するもの４は一過性の粘着剤で付いているだけなので簡単に剥がすことが出来るものであり、切り取ろうとする意思を必要としないものである。
したがって分離して使用するもの４の使用及び利用価値が非常に高まるものである。
【００２２】
図４は本発明の印刷物の裏面図である。
通常、本発明の印刷物を開く場合、左側面部２，右側面部３から開くものであるが、場合によっては裏から分離して使用するもの４を剥がしても良い。
【００２３】
図５は本発明の印刷物を開いた状態を示す第２の実施例を示す図である。
一方の側面部、即ち左側面部２又右側面部３のうち、右側面部３の所定の場所に分離して使用するもの４が印刷されていることを示している。
以下の説明は第１の実施例の場合と同様であるが、疑義を生じさせないため再度説明する。
本図面ではこの分離して使用するもの４は四角形をしているが、丸でも三角形でも良く形状は問わない。
印刷物が広告の場合には分離して使用するもの４以外の部分には広告の内容等が印刷されているものである。
【００２４】
又、右側面部３の所定の場所に当該分離して使用するもの４が設けられ、当該分離して使用するもの４の裏面又は表面（都合により裏面でも表面でも良い。）の内側の周囲５及び外側の周囲５’にはその上から文字を書くことの出来る一過性の粘着剤が塗布されている。内側の周囲５だけでなく全面に当該粘着剤を塗布しても良いし、四隅と中央の部分だけに塗布しても良い。
要は当該分離して使用するもの４が落ちなければ良い。
【００２５】
又、当該分離して使用するもの４の裏面又は表面ではなく、中央面部１の裏面に、右側面部３又は左側面部２を折った場合に、当該分離して使用するもの４が落ちないように、一過性の粘着剤（この場合は文字が書いても書けなくても良い。）を塗布しても良い。
【００２６】
又、本図面では図示していないが、左側面部２の裏面の上部、下部、左側部、右側面部３の裏面の上部、下部、右側部、及び／又は中央面部１の裏面の、左側面部２及び右側面部３に重なる所定の部分に一過性の粘着剤が塗布されている。
【００２７】
そのため、右側面部３及び左側面部２を中央面部１の方に折って重ねると、右側面部３又は左側面部２は中央面部１に剥離可能に貼着される。
貼着した後、分離して使用するもの４（例えば葉書等）の周囲をハーフカット装置を使用して半抜きをする。すなわち、分離して使用するもの４の周囲のみに切り込み９を入れる。分離して使用するもの４の裏面又は中央面部１の裏面の前記所定の箇所には一過性の粘着剤が塗布されているので分離して使用するもの４の周囲に切り込み９が入っても欠落したりすることがないものである。左、右に開く場合は、開く箇所を示した部分６，７より開けば容易に開くことが出来る。
【００２８】
図６は左側面部と右側面部を開いた状態を示す第２の実施例を示す図である。
本図面では中央面部１に分離して使用するもの４が貼着されるようになっているので、右側面部３を開くと、中央面部１の裏面に分離して使用するもの４が貼着しており、左側面部２には分離して使用するもの４が付いていない状態を示している。分離して使用するもの４が右側面部３から切り離されたことにより、分離して使用するもの４があった部分は四角形の穴８になっている。
【００２９】
中央面部１の裏面に貼着している分離して使用するもの４は一過性の粘着剤で付いているだけなので簡単に剥がすことが出来るものであり、切り取ろうとする意思を必要としないものである。
したがって分離して使用するもの４の使用及び利用価値が非常に高まるものである。
なお、第１の実施例で説明した図４の説明は第２の実施例も同じなので省略する。
【００３０】
第２の実施例は右側面部３に分離して使用するもの４が印刷されている状態について図示し説明したが、左側面部２に分離して使用するもの４が印刷されている場合については、右側面部３に分離して使用するもの４が印刷されている場合と同じなので図示及び説明を省略する。
【符号の説明】
【００３１】
１          中央面部
２          左側面部
３          右側面部
４          分離して使用するもの
５          内側の周囲
５’        外側の周囲
６，７      開く箇所を示した部分
８          穴
９          切り込み
【図１】
2010269607.tif 000003
【図２】
2010269607.tif 000004
【図３】
2010269607.tif 000005
【図４】
2010269607.tif 000006
【図５】
2010269607.tif 000007
【図６】
2010269607.tif 000008